(57)【要約】【課題】ブラケットを棚支柱から取り外すことなく、且つ、棚板をブラケットから取り外すことなく容易に棚板の取付角度を変更可能とするショーケースを提供する。【解決手段】本発明は、陳列室９内に取り付けられ、棚板３を支持する一対のブラケット２２、２２と、棚板３の両側における前後に形成された前係合部３７及び後係合部３８と、ブラケット２２に形成され、前係合部３７及び後係合部３８が移動可能、且つ、回動自在にそれぞれ係合する前被係合部３０及び後被係合部２９とを備え、前被係合部３０は、上下方向の移動用通路３１と、移動用通路３１に連続して異なる高さの位置に形成された複数の係支部３２とから構成される。【選択図】図７
2009219746.tif 000002
【特許請求の範囲】
【請求項１】
前面に開口する本体内に陳列室を構成し、該陳列室内に商品陳列用の棚板を架設して成るショーケースにおいて、
前記陳列室内に取り付けられ、前記棚板を支持する一対のブラケットと、
前記棚板の両側における前後に形成された前係合部及び後係合部と、
前記ブラケットに形成され、前記前係合部及び後係合部が移動可能、且つ、回動自在にそれぞれ係合する前被係合部及び後被係合部とを備え、
該前被係合部又は後被係合部のうちの少なくとも一方は、上下方向の移動用通路と、該移動用通路に連続して異なる高さの位置に形成された複数の係支部とから構成されていることを特徴とするショーケース。
【請求項２】
前記各係支部は、前記前係合部又は後係合部が進入した状態で、その前後方向への移動を規制する形状を呈していることを特徴とする請求項１に記載のショーケース。
【発明の詳細な説明】
【技術分野】
【０００１】
本発明は、前面に開口する本体内に陳列室を構成し、陳列室内に商品陳列用の棚板を架設して成るショーケース、特に当該棚板の角度変更構造に関するものである。
【背景技術】
【０００２】
従来よりスーパーマーケットやコンビニエンスストア等の店舗には、例えば特許文献１に示す如きショーケースが設置されている。係るショーケースでは、陳列室の背面両側に棚支柱が略垂直に配置されており、この棚支柱には上下に渡って所定間隔を存して複数の係合孔が形成されている。そして、この棚支柱には、棚板を架設するための一対のブラケットが着脱自在に取り付けられる。
【０００３】
ここで、図８を参照して従来の棚装置の構成について説明する。棚板１０１を支持する一対のブラケット１０２、１０２は、陳列室内の後両側に立設される棚支柱１０３の係合孔１０４・・・に係脱自在とされる上係合爪部１０５と、下係合爪部１０６が形成されている。下係合爪部１０６は、上係合爪部１０５と共に、架設されるブラケットの取付角度を調整可能とするため、前後方向で異なる位置にて複数の切欠１０７が形成されている。
【０００４】
これにより、ブラケット１０２の下係合爪部１０６の係止させる切欠１０７を変更することによって、ブラケット１０２の取付角度を変更可能とし、係る一対のブラケット１０２に架設される棚板１０１の架設角度を変更可能なものとしていた。
【特許文献１】特開平９−９４１３８号公報
【発明の開示】
【発明が解決しようとする課題】
【０００５】
上述した如き棚装置の構成では、棚板の架設角度を変更する際には、まず、棚板１０１上に陳列されている商品を取り除き、棚板１０１をブラケット１０２から外す。次いで、ブラケット１０２の前端を持ち上げ、下係合爪部１０６の切欠１０７と棚支柱１０３の係合孔１０４との係合を外す。そして、所望とする棚板の架設角度を実現する切欠１０７と棚支柱１０３の係合孔１０４とを係合させる。その後、ブラケット１０２に棚板を載せて、商品を再陳列する。
【０００６】
そのため、棚板の取付角度を変更する作業は極めて煩雑なものとなり、また、棚板を一旦取り外して陳列室内から除去する必要がある。特にスーパーマーケットなどに設置されるショーケースは、使用される棚板も大型であるため、一人の作業者では、作業に大きな労力や時間が必要となる。
【０００７】
本発明は従来の技術的課題を解決するために成されたものであり、ブラケットを棚支柱から取り外すことなく、且つ、棚板をブラケットから取り外すことなく容易に棚板の取付角度を変更可能とするショーケースを提供する。
【課題を解決するための手段】
【０００８】
本発明のショーケースは、前面に開口する本体内に陳列室を構成し、該陳列室内に商品陳列用の棚板を架設して成るものであって、陳列室内に取り付けられ、棚板を支持する一対のブラケットと、棚板の両側における前後に形成された前係合部及び後係合部と、ブラケットに形成され、前係合部及び後係合部が移動可能、且つ、回動自在にそれぞれ係合する前被係合部及び後被係合部とを備え、前被係合部又は後被係合部のうちの少なくとも一方は、上下方向の移動用通路と、該移動用通路に連続して異なる高さの位置に形成された複数の係支部とから構成されていることを特徴とする。
【０００９】
請求項２の発明のショーケースは、上記発明において、各係支部は、前係合部又は後係合部が進入した状態で、その前後方向への移動を規制する形状を呈していることを特徴とする。
【発明の効果】
【００１０】
本発明によれば、前面に開口する本体内に陳列室を構成し、該陳列室内に商品陳列用の棚板を架設して成るショーケースにおいて、陳列室内に取り付けられ、棚板を支持する一対のブラケットと、棚板の両側における前後に形成された前係合部及び後係合部と、ブラケットに形成され、前係合部及び後係合部が移動可能、且つ、回動自在にそれぞれ係合する前被係合部及び後被係合部とを備え、前被係合部又は後被係合部のうちの少なくとも一方は、上下方向の移動用通路と、該移動用通路に連続して異なる高さの位置に形成された複数の係支部とから構成されているので、棚板をブラケットから取り外すことなく、容易に棚板の取付角度を変更することが可能となる。
【００１１】
棚板の取付角度変更を行う際には、棚板に設けられる前係合部及び後係合部をブラケットに形成された前被係合部や後被係合部にて保持しつつ、その被係合部に形成される移動用通路内を移動させて、所望の高さ位置に形成される係支部を選択してかかる係支部に移動させて保持することから、棚板を安定させて角度変更を行うことができる。
【００１２】
従って、棚板の角度変更に伴う労力を軽減でき、作業効率の向上を図ることができる。
【００１３】
請求項２の発明によれば、上記発明に加えて、各係支部は、前係合部又は後係合部が進入した状態で、その前後方向への移動を規制する形状を呈しているので、当該係支部に保持される前係合部又は後係合部が容易に前後方向に移動してしまう不都合を抑制することができ、安定的に棚板を保持することが可能となる。これにより、安全な商品陳列を実現することができる。
【発明を実施するための最良の形態】
【００１４】
以下、図面に基づき本発明の実施形態を詳述する。図１は本発明のショーケース１の斜視図、図２はショーケース１の縦断側面図を示している。本実施例のショーケース１は、例えばコンビニエンスストアなどに設置されて商品の陳列販売に供されるものであり、前面に開口する断面略コ字状の断熱壁６と、この断熱壁６の左右に取り付けられた透明側板７、７とから本体が構成されている。
【００１５】
この断熱壁６の内側には仕切板８が取り付けられ、その前側を陳列室９とし、仕切板８と断熱壁６間をダクト１１としている。断熱壁６の天壁６Ａは底壁６Ｂよりも奥側で終了しており、天壁６Ａの前端下側に冷気吐出口１２が形成され、底壁６Ｂの前端上側に冷気吸込口１３が形成されて、それぞれダクト１１に連通している。
【００１６】
このダクト１１内には冷却装置の冷凍サイクルを構成する冷却器１４と送風機１６が設置され、断熱壁６の底壁６Ｂ下側に構成された機械室１７内には、前記冷却器１４と共に冷凍サイクルを構成する圧縮機１８、凝縮器１９及び凝縮器用送風機２１などが設置されている。
【００１７】
係る構成により、冷却装置の圧縮機１８と送風機１６が運転されると、冷却器１４が冷却作用を発揮する。この冷却器１４にて冷却されたダクト１１内の冷気は、送風機１６にて吸い上げられて上方に吹き上げられ、やがて最上部の冷気吐出口１２から陳列室９内に吐出される。
【００１８】
そして、陳列室９内に吐出された冷気は最終的に冷気吸込口１３からダクト１１内に帰還する循環を行う。これにより、陳列室９内は、所定の冷却温度に冷却される。
【００１９】
一方、仕切板８の左右には棚支柱２６、２６が上下に取り付けられており、この棚支柱２６、２６には複数の係止孔２７・・（後述する図７参照）が上下に所定間隔で形成されている。そして、陳列室９内にはこの棚支柱２６により商品陳列用の棚装置２が上下複数段に渡って架設されている。
【００２０】
以下、図３乃至図７を参照して、本実施例における棚装置２について説明する。図３は棚板３の側面図、図４は棚板３の部分拡大平面図、図５はブラケット２２の側面図、図６は棚装置２の概略構成図（ブラケット２２を点線にて示す）、図７が棚装置２の概略構成図（棚板３を点線にて示す）をそれぞれ示している。
【００２１】
各棚装置２・・は、棚板３と、当該棚板３を支持する一対のブラケット２２、２２などから構成されている。棚板３は、例えば鋼板製の板状部材により矩形状に折曲形成されている。そして、この棚板３の側面３Ａの前後（両側における前後）には、例えばボルト等により構成される係合部を取り付けるための取付孔３５、３６が形成されている。両側面３Ａの前側の取付孔３５には、前係合部３７が取り付けられると共に、両側面３Ａの後側の取付孔３６には、後係合部３８が取り付けられる。
【００２２】
本実施例では、図３に示すように、前係合部３７は、棚板３の前端３Ｂよりも所定寸法だけ後退した位置に設けられると共に、後係合部３８は、棚板３の後端３Ｃに近い位置に設けられている。また、各係合部３７、３８は、当該係合部を構成するボルトの頭部（係合部の端部）と棚板３の側面３Ａとの間に所定の隙間が形成されるように取り付けられる。なお、各係合部３７、３８の端部は、少なくともブラケット２２の後述する前後被係合部３０、２９の幅寸法よりも大きく形成されており、当該前後被係合部３０、２９から各係合部３７、３８が容易に抜け出ることを防止する。
【００２３】
一方、ブラケット２２は、例えば鋼板製の板状部材により構成されており、後縁には、上下に複数、本実施例では二つの係合爪２８、２８が形成されている。これら係合爪２８は、上記棚支柱２６の所定の高さの係止孔２７に着脱自在に係止される。
【００２４】
そして、このブラケット２２、２２の側面後部には、前後に延在する後被係合部（挿通孔）２９が形成されており、当該後被係合部２９内に、前記棚板３の後係合部３８が移動可能、且つ、回動自在とされる。また、ブラケット２２、２２の側面前部には、前被係合部（挿通孔）３０が形成されており、当該前被係合部３０内に、前記棚板３の前係合部３７が移動可能、且つ、回動自在とされる。
【００２５】
ここで、前被係合部３０は、ブラケット２２の前部に位置して上下方向に延在する移動用通路３１と、当該移動用通路３１の後縁から後方に延在する複数の係支部３２とから構成される。各係支部３２は、移動用通路３１に連続してそれぞれ異なる高さの位置に分岐して形成されており、本実施例では、移動用通路３１上端から後方に延在する上係支部３２Ａと、移動用通路３１の下端から後方に延在する下係支部３２Ｃと、当該上係支部３２Ａと、下係支部３２Ｃとの間の高さに位置して構成される中係支部３２Ｂが形成されている。
【００２６】
図５に示すように上係支部３２Ａと中係支部３２Ｂは、前端から後端に渡って山なり形状とされており、その後端は進入した棚板３の前係合部３７を安定して保持すべく、保持溝３２Ｄが形成されている。また、下係支部３２Ｃは、上記上係支部３２Ａ及び中係支部３２Ｂとは異なり、移動用通路３１の下端から後方に向けて所定角度で低くなるように傾斜して形成されている。これにより、各係支部３２は、棚板３の前係合部３７が当該係支部３２内に進入した状態で、前係合部３７の前後方向への移動が規制される形状とされる。
【００２７】
以上の構成により、棚装置２の取付手順及び取付角度調整手順について説明する。まず、陳列室９の後部両側（仕切板８の左右）に立設された棚支柱２６、２６のそれぞれに棚装置２を架設する高さに相当する位置の係合孔２７、２７にブラケット２２の後縁に形成された係合爪２８、２８を挿入係合する。
【００２８】
そして、棚支柱２６に架設された一対のブラケット２２、２２間に棚板３を介在させ、ブラケット２２の後被係合部２９と棚板側面３Ａの取付孔３６を重合させ、ブラケット２２の外側から後係合部３８を取り付ける。同様に、ブラケット２２の前被係合部３０と棚板側面３Ａの取付孔３５を重合させ、ブラケット２２の外側から前係合部３７を取り付ける。このとき、各係合部３７、３８は、棚板側面３Ａに固定され、当該棚板側面３Ａと係合部３７、３８の端面との間にブラケット２２が回動自在に介在する。これにより、陳列室９内に棚装置２が取り付けられる。
【００２９】
棚板３の取付（架設）角度を調整する際には、まず、棚板３の前端３Ｂを上側に持ち上げながら前方に引き出す。このとき、棚板３の側面３Ａに設けられる後係合部３８は、後被係合部２９内に保持されつつ前方に摺動され、前係合部３７はそれまで収容されていた係支部３２内を前方に摺動されて前被係合部３０の前端に形成される移動用通路３１に至る。この状態で、棚板３の前係合部３７は、ブラケット２２の前被係合部３０の移動用通路３１内を上下に移動自在とされる。
【００３０】
そして、後係合部３８を中心に棚板３の前端３Ｂを回動させて前係合部３７を移動用通路３１内を移動させ、当該前係合部３７を当該移動用通路３１内から所望の取付角度を実現する係支部３２を選択して当該係支部３２内に進入させる。そのまま、棚板３を後方に押し込むことで、後係合部３８は後被係合部２９内に保持されつつ後方に摺動され、前係合部３７は当該係支部３２内を後方に摺動されて後端に形成される保持溝３２Ｄ内（若しくは下係支部３２Ｃの下端内）に収容させる。
【００３１】
そのため、前係合部３７を上係支部３２Ａ内に係合させた場合には、本実施例では、当該上係支部３２Ａの後端と後被係合部２９の高さ位置が略同様に（若しくは、上係支部３２Ａ後端が少許低く）形成されているため、当該棚板３は、ブラケット２２に対し略平行に架設される。
【００３２】
また、前係合部３７を下係支部３２Ｃ内に係合させた場合には、当該棚板３は、ブラケット２２に対し最も大きな斜度で、前側が低くなるように架設される。そして、前係合部３７を中係支部３２Ｂ内に係合させた場合には、当該棚板３は、ブラケット２２に対する斜度が上係支部３２Ａを用いた場合と下係支部３２Ｃを用いた場合との間となる斜度で前側が低くなるように架設される。
【００３３】
このように、棚板３をブラケット２２から取り外すことなく、容易に棚板３の取付角度を変更することが可能となり、棚装置２による商品陳列効果の向上を図ることができる。従って、棚板３の取付角度変更作業において、棚板３やブラケット２２を取り外す作業を不要とすることができ、棚板３の角度変更に伴う労力を軽減でき、作業効率の向上を図ることができる。
【００３４】
また、本実施例では、前係合部３７を保持する前被係合部３０の各係支部３２（上係支部３２Ａ、中係支部３２Ｂ）は、前端から後端に渡って山なり形状とされているため、前係合部３７が進入した状態で、その前後方向への移動を規制することができ、棚板３や棚板３上に載置される商品の重量等によって、前係合部３７が係支部３２内を前方に移動してしまう不都合を抑制することができる。これにより、安定的に棚板３を保持することが可能となり、安全な商品陳列を実現することができる。
【００３５】
更に、本実施例では、前被係合部３０の係支部３２の後端には、保持溝３２Ｄが形成されているため、より安定的に棚板３を保持することが可能となる。
【００３６】
特に、本実施例では、棚板３は、側面３Ａに取り付けられた前係合部３７が両ブラケット２２に形成される前被係合部３０内を移動することで、架設角度を変更可能とされているため、最も前側に傾斜させても、下係支部３２Ｃの後端によってそれ以上傾斜されることが規制される。そのため、角度変更作業を行う際に、棚板３上に商品が陳列されたままでも、当該棚板３は、前係合部３７が前被係合部３０を構成する下係支部３２Ｃ内に進入することで、それ以上の傾斜角度となる不都合を抑制でき、棚板３上から商品が脱落する不都合を抑制することが可能となる。
【００３７】
尚、本実施例では、前被係合部３０は、異なる高さの位置に形成された３つの係支部３２Ａ、３２Ｂ、３２Ｃを有しているが、当該係支部の数は、これに限定されない。また、本実施例では、後係合部３８の高さ位置を変えずに、前係合部３７の高さ位置を進入させる係支部３２を変更することで、棚板３の取付角度を変更可能としているが、これに限定されるものではなく、後被係合部２９の形状と前被係合部３０の形状を変更することで、前係合部３７の高さ位置を変えずに、後係合部３８の高さ位置を進入させる係支部３２を変更することで、棚板３の取付角度を変更可能なものとしてもよい。
【００３８】
また、これ以外にも、前被係合部３０及び後被係合部２９のそれぞれに前係合部３７及び後係合部３８が係合される異なる高さ位置の係支部を備え、進入させる係支部を変更することで、棚板３の取付角度を変更可能なものとしてもよい。
【図面の簡単な説明】
【００３９】
【図１】本発明のショーケースの斜視図である。
【図２】図１のショーケースの縦断側面図である。
【図３】棚板の側面図である。
【図４】棚板の部分拡大平面図である。
【図５】ブラケットの側面図である。
【図６】棚装置の概略構成図（ブラケットを点線にて示す）である。
【図７】棚装置の概略構成図（棚板を点線にて示す）である。
【図８】従来のショーケースの棚装置の概略構成図である。
【符号の説明】
【００４０】
１    ショーケース
２    棚装置
３    棚板
３Ａ  側面
８    仕切板
９    陳列室
２２  ブラケット
２６  棚支柱
２７  係止孔
２８  係合爪
２９  後被係合部（挿通孔）
３０  前被係合部（挿通孔）
３１  移動用通路
３２  係支部
３２Ａ  上係支部
３２Ｂ  中係支部
３２Ｃ  下係支部
３２Ｄ  保持溝
３５、３６  取付孔
３７  前係合部
３８  後係合部
【図１】
2009219746.tif 000003
【図２】
2009219746.tif 000004
【図３】
2009219746.tif 000005
【図４】
2009219746.tif 000006
【図５】
2009219746.tif 000007
【図６】
2009219746.tif 000008
【図７】
2009219746.tif 000009
【図８】
2009219746.tif 000010